(57)【特許請求の範囲】
【請求項１】
画像情報を、商品の精算を実行するＰＯＳ端末に通知する情報に変換する情報変換装置において、
前記商品を識別する識別情報を記した識別記号の第１画像情報を前記識別情報に変換し、価格から所定額を減額することを記した減額ラベルの第２画像情報を、前記所定額を減額することを表す減額情報に変換する画像変換部と、
前記画像変換部により変換された前記識別情報及び前記減額情報が、変換対象である場合には、それぞれの情報を表す識別フラグ及び減額フラグをセットする取得画像判別部と、
所定時間内に、前記識別フラグと前記減額フラグとがセットされると、変換した前記識別情報と変換した前記減額情報とから、前記商品を識別し前記商品の価格から前記所定額を減額することを表す識別情報を合成する識別情報合成部と、
前記識別情報合成部により前記識別情報が合成されると、変換が正常に完了したことを通知する出力実行部と、
を有することを特徴とする情報変換装置。
【請求項２】
前記識別記号はバーコードであることを特徴とする請求項１記載の情報変換装置。
【請求項３】
前記商品の減額前の前記識別情報はＪＡＮコード方式であって、合成された前記識別情報はＣＯＤＥ１２８方式であることを特徴とする請求項２記載の情報変換装置。
【請求項４】
前記識別情報合成部は、前記第２画像情報が無い場合には、前記第１画像情報から変換した前記識別情報を前記合成した識別情報とする、
ことを特徴とする請求項１記載の情報変換装置。
【請求項５】
前記取得画像判別部は、前記画像変換部により変換された前記減額情報が、認識不可である場合には、前記減額情報が不認識であることを表す不認識フラグをセットし、
前記識別情報合成部は、前記識別フラグと前記不認識フラグとがセットされると、前記識別情報と、前記減額情報とを合成し、
前記出力実行部が、前記変換が正常に完了したことを通知しない、
ことを特徴とする請求項１記載の情報変換装置。
【請求項６】
画像情報を、商品の精算を実行するＰＯＳ端末に通知する情報に変換する情報変換方法において、
前記商品を識別する識別情報を記した識別記号の第１画像情報を前記識別情報に変換し、価格から所定額を減額することを記した減額ラベルの第２画像情報を、減額情報に変換し、
変換された前記識別情報及び前記減額情報が、変換対象である場合には、それぞれの情報を表す識別フラグ及び減額フラグをセットし、
所定時間内に、前記識別フラグと前記減額フラグとがセットされると、変換した前記識別情報と変換した前記減額情報とから、前記商品を識別し前記商品の価格から前記所定額を減額することを表す識別情報を合成し、
前記識別情報が合成されると、変換が正常に完了したことを通知する、
ことを特徴とする情報変換方法。
【請求項７】
商品を識別する識別情報を記した識別記号の第１画像情報を読み取り、価格から所定額を減額することを記した減額ラベルの第２画像情報を読み取る画像読み取り部と、
前記第１画像情報を前記識別情報に変換し、前記第２画像情報を、前記所定額を減額することを表す減額情報に変換する画像変換部と、前記画像変換部により変換された前記識別情報及び前記減額情報が、変換対象である場合には、それぞれの情報を表す識別フラグ及び減額フラグをセットする取得画像判別部と、所定時間内に、前記識別フラグと前記減額フラグとがセットされると、変換した前記識別情報と変換した前記減額情報とから、前記商品を識別し前記商品の価格から前記所定額を減額することを表す識別情報を合成する識別情報合成部と、前記識別情報合成部により前記識別情報が合成されると、変換が正常に完了したことを通知する出力実行部と、を有する情報変換装置と、
前記合成した識別情報に基づいて、前記所定額を減額した前記商品の価格を出力するＰＯＳ端末と、
を有することを特徴とするＰＯＳシステム。
【発明の詳細な説明】
【技術分野】
【０００１】
情報変換装置、情報変換方法及びＰＯＳシステムに関する。
【背景技術】
【０００２】
スーパーマーケット等の小売店では、商品の価格、消費期限等と共に、商品の識別情報等を表すバーコートを貼付した状態で当該商品を店頭に並べて販売している。また、商品がそれぞれの消費期限が近づくと、割引して販売することが行われている。
【０００３】
この場合、まず、小売店の係員が、商品外装にバーコードが貼付されている箇所の近傍に、表示価格に対する割引（または値引き）を表すラベルを商品ごとに貼付しておく（例えば、特許文献１参照）。
【０００４】
当該商品の精算時には、精算を行うオペレータがレジを操作して、バーコードを利用して、当該商品の販売価格を読み出す。そして、読み出した当該販売価格に対して、ラベルが示す割引をレジに手入力することで、レジに販売価格の割引価格が表示される。
【０００５】
このようにして、割引のラベルが貼付された商品に対する割引処理が実行される。
【先行技術文献】
【特許文献】
【０００６】
【特許文献１】特開２００８−０２４３２３６号公報
【発明の概要】
【発明が解決しようとする課題】
【０００７】
しかし、上記の方法では、オペレータによる手入力を行う手間が必要であり、煩雑な動作が発生してしまう。また、オペレータは手入力を行う際には、入力ミスが生じる可能性もあり、正確に精算処理が実行されない場合もある。
【０００８】
本発明はこのような点に鑑みてなされたものであり、精算処理の負担を軽減する情報変換装置、情報変換方法及びＰＯＳシステムを提供することを目的とする。
【課題を解決するための手段】
【０００９】
上記課題を解決するために、画像情報を、商品の精算を実行するＰＯＳ端末に通知する情報に変換する情報変換装置において、前記商品を識別する識別情報を記した識別記号の第１画像情報を前記識別情報に変換し、価格から所定額を減額することを記した減額ラベルの第２画像情報を、前記所定額を減額することを表す減額情報に変換する画像変換部と、前記画像変換部により変換された前記識別情報及び前記減額情報が、変換対象である場合には、それぞれの情報を表す識別フラグ及び減額フラグをセットする取得画像判別部と、所定時間内に、前記識別フラグと前記減額フラグとがセットされると、変換した前記識別情報と変換した前記減額情報とから、前記商品を識別し前記商品の価格から前記所定額を減額することを表す識別情報を合成する識別情報合成部と、前記識別情報合成部により前記識別情報が合成されると、変換が正常に完了したことを通知する出力実行部と、を有する情報変換装置が提供される。
【００１０】
また、上記課題を解決するために、上記の情報変換装置と同様の方法が提供される。
さらに、上記課題を解決するために、商品を識別する識別情報を記した識別記号の第１画像情報を読み取り、価格から所定額を減額することを記した減額ラベルの第２画像情報を読み取る画像読み取り部と、前記第１画像情報を前記識別情報に変換し、前記第２画像情報を、前記所定額を減額することを表す減額情報に変換する画像変換部と、前記画像変換部により変換された前記識別情報及び前記減額情報が、変換対象である場合には、それぞれの情報を表す識別フラグ及び減額フラグをセットする取得画像判別部と、所定時間内に、前記識別フラグと前記減額フラグとがセットされると、変換した前記識別情報と変換した前記減額情報とから、前記商品を識別し前記商品の価格から前記所定額を減額することを表す識別情報を合成する識別情報合成部と、前記識別情報合成部により前記識別情報が合成されると、変換が正常に完了したことを通知する出力実行部と、を有する情報変換装置と、前記合成した識別情報に基づいて、前記所定額を減額した前記商品の価格を出力するＰＯＳ端末と、を有するＰＯＳシステムが提供される。
【発明の効果】
【００１１】
上記の情報変換装置、情報変換方法及びＰＯＳシステムによれば、精算処理の負担を軽減することができる。
【図面の簡単な説明】
【００１２】
【図１】第１の実施の形態に係る情報変換装置を説明するための概念図である。
【図２】第２の実施の形態に係るＰＯＳシステムを説明するための模式図である。
【図３】第２の実施の形態に係るＰＯＳシステムのハードウェア構成例の図である。
【図４】第２の実施の形態に係る店舗サーバのハードウェア構成例の図である。
【図５】第２の実施の形態に係るＰＯＳシステムの情報変換装置のハードウェア構成例の図である。
【図６】第２の実施の形態に係るＰＯＳシステムの情報変換装置が備える機能を表す機能ブロック図である。
【図７】第２の実施の形態に係る情報変換装置の情報変換処理を実行するためのフローチャート図（その１）である。
【図８】第２の実施の形態に係る情報変換装置の情報変換処理を実行するためのフローチャート図（その２）である。
【図９】第２の実施の形態に係る情報変換装置の情報変換処理を実行するためのフローチャート図（その３）である。
【図１０】バーコードを含む商品ラベルと共に割引ラベルが貼付された商品を説明するための図である。
【図１１】バーコード情報とラベル情報との具体例を説明するための図である。
【発明を実施するための形態】
【００１３】
以下、実施の形態について説明する。
［第１の実施の形態］
図１は、第１の実施の形態に係る情報変換装置を説明するための概念図である。
【００１４】
情報変換装置１は、商品の精算を実行するＰＯＳ（Point Of Sales）端末に接続されており、画像読取装置により読み取られた画像情報２から変換した情報を当該ＰＯＳ端末に通知するものである。
【００１５】
このような情報変換装置１は、図１に示されるように、識別情報格納部３、ラベル情報格納部４、画像変換部５、識別情報合成部６及び情報送信部７を有する。なお、画像情報２は、画像情報２ａ，２ｂを備える。
【００１６】
識別情報格納部３は、商品を識別する識別情報を記した識別記号の画像情報２ａに対応付けられた当該識別情報を格納する。なお、画像情報２ａは、図１に示されるように、バーコード等の商品を識別するための識別記号の画像情報である。
【００１７】
ラベル情報格納部４は、価格から所定額を減額することを記した減額ラベルの画像情報２ｂに対応付けられた所定額を減額することを表す減額情報を格納する。なお、画像情報２ｂは、図１に示されるように、商品の販売価格に対する減額（例えば、割引、値引き）を表すラベルの画像情報である。
【００１８】
画像変換部５は、商品を識別する識別情報を記した識別記号の画像情報２ａから識別情報に変換し、価格から所定額を減額することを記した減額ラベルの画像情報２ｂから所定額を減算することを表す減算情報に変換する。例えば、画像変換部５は、画像読取装置（図示を省略）で読み取った商品に貼付されているバーコードの画像情報２ａを取得すると、識別情報格納部３を参照して、当該画像情報２ａに対応付けられた識別情報を特定し、当該画像情報２ａを識別情報に変換する。また、画像変換部５は、同様に読み取った減額ラベルの画像情報２ｂを取得すると、ラベル情報格納部４を参照して、当該画像情報２ｂに対応付けられた減額情報を特定し、当該画像情報２ｂを減額情報に変換する。
【００１９】
識別情報合成部６は、変換した識別情報と変換した減算情報とから、商品を識別し当該商品の価格から所定額を減額することを表す識別情報を合成する。例えば、識別情報合成部６は、画像変換部５で変換された識別情報及び減額情報に基づいて、商品を識別し、当該商品の価格から所定額を減額する（図１では表示価格より４０％引き）ことを表すバーコード等の識別情報８を合成する。
【００２０】
情報送信部７は、識別情報合成部６で合成された識別情報８をＰＯＳ端末に通知する。
なお、ＰＯＳ端末では、商品の識別情報に応じた価格の情報を保持しており、識別情報８に基づき、商品を特定し、特定した商品の価格から識別情報８に基づいて所定額を減額して、新たな価格を算出することができるようになる。
【００２１】
次に、このような情報変換装置１で行われる画像情報の情報変換方法について説明する。
まず、係員は、商品を識別する識別記号（バーコード）が貼付された当該商品に対して、所定額を減額することを記した減額ラベルを識別記号の近傍に貼付しておく。
【００２２】
当該商品の精算時には、オペレータは、画像読取装置を利用して、当該商品のバーコードの画像情報２ａと、減額ラベルの画像情報２ｂとを読み取る。
すると、画像変換部５は、識別情報格納部３を参照して、当該画像情報２ａに対応付けられた識別情報を特定し、当該画像情報２ａを特定した識別情報に変換する。また、画像変換部５は、同様に、ラベル情報格納部４を参照して、当該画像情報２ｂに対応付けられた減額情報を特定し、当該画像情報２ｂを特定した減額情報に変換する。
【００２３】
識別情報合成部６は、画像変換部５で変換された識別情報及び減額情報に基づいて、商品を識別し、当該商品の価格から所定額を減算することを表すバーコードを合成する。
ＰＯＳ端末は、情報送信部７から当該合成されたバーコードを取得すると、取得したバーコードにより、精算対象の商品の価格を特定し、特定した価格から合成された識別情報に基づき所定額を減額する。そして、ＰＯＳ端末の表示画面に当該減額した価格を表示する。
【００２４】
オペレータは、このように表示された減額された価格を顧客から受領して当該商品の精算を行うことができる。
このように情報変換装置１は、識別記号の画像情報２ａから変換した識別情報と、減額ラベルの画像情報２ｂから変換した減額情報とから、商品を識別し商品の価格から所定額を減額することを表す識別情報８を合成し、当該合成した識別情報８をＰＯＳ端末に通知するようにした。
【００２５】
これにより、オペレータは、減額ラベルに表示されている減額をＰＯＳ端末に対して別途手入力する必要が無くなり、時間が短縮されると共に、商品の価格に対する減額処理を自動で行えるようになった。したがって、入力ミスが生じることも無くなり、正確に精算処理を行うことができるようになる。
【００２６】
［第２の実施の形態］
第２の実施の形態では、第１の実施の形態をより具体的に説明する。
図２は、第２の実施の形態に係るＰＯＳシステムを説明するための模式図である。
【００２７】
ＰＯＳシステム１００は、図２に示されるように、設置台１０１，１０２、キャッシュドロア１０３、ＰＯＳ端末１０４、ディスプレイ１０５、キーボード１０６、タッチパネル１０７、レシートプリンタ１０８、支柱１０９、画像スキャナ１１０、タッチパネル１１１，１１２及びディスプレイ１１３，１１４を有する。さらに、このようなＰＯＳシステムは、店舗ネットワーク２００を介して、店舗サーバ３００に接続されている。
【００２８】
設置台１０１，１０２は、ＰＯＳシステム１００全体を支持する。設置台１０１は、キャッシュドロア１０３、ＰＯＳ端末１０４、ディスプレイ１０５、キーボード１０６及びレシートプリンタ１０８を支持する。設置台１０２は、支柱１０９を支持する。また、設置台１０２には、顧客が持参した買い物かごや、買い物かごに投入された商品が載置される。
【００２９】
なお、以下では、設置台１０２に対する設置台１０１側をオペレータスペース、設置台１０２に対する設置台１０１とは逆側を顧客レーンと呼ぶこととする。
キャッシュドロア１０３は、貨幣を収納する収納庫である。キャッシュドロア１０３には、硬貨や紙幣が収納される。
【００３０】
ＰＯＳ端末１０４は、ＰＯＳシステム１００全体を制御するコンピュータである。
ディスプレイ１０５は、取引作業を行うための所定のＧＵＩ（Graphical User Interface）を表示する。ディスプレイ１０５は、例えば、液晶ディスプレイである。ディスプレイ１０５は、タッチパネル１０７の下層に位置している。ディスプレイ１０５の表示する画像は、タッチパネル１０７を透過して、オペレータスペース側から視認可能である。オペレータは、ディスプレイ１０５によって表示された画像を視認しながら、タッチパネル１０７に対するタッチ操作を行うことができる。
【００３１】
キーボード１０６は、ディスプレイ１０５に表示されたＧＵＩを操作するための入力装置である。
タッチパネル１０７は、ディスプレイ１０５に表示されたＧＵＩを操作するための入力装置である。
【００３２】
レシートプリンタ１０８は、顧客との取引の結果をロール紙に印字してレシートを発行する印刷装置である。
支柱１０９は、画像スキャナ１１０、タッチパネル１１１，１１２及びディスプレイ１１３，１１４を支持する。また、支柱１０９には、後述する画像スキャナ１１０に接続された情報変換装置が内蔵されている。
【００３３】
画像スキャナ１１０は、商品に貼付された商品ラベルに印字されているバーコード及び割引ラベルの画像を読み取るための装置である。
なお、画像スキャナ１１０の割引ラベルの検出は、例えば、読み取ったラベルの形状及びラベルに記載されている文字形状に基づいて行われる。具体的には、画像スキャナ１１０は、予め、各種割引ラベルのマスタラベル情報を備えており、画像スキャナ１１０で読み取った割引ラベルの形状及び文字形状を、マスタラベル情報の形状及び文字形状でそれぞれ割って平均した値（認識値）に基づいて、検出認識を判定する。当該認識値が７０％以上であれば、読み取り認識が確定（認識可能である）し、５０％未満であれば読み取り認識が確定しなかった（認識不可能である）ことを示す。また、認識値が５０％以上、７０％未満であれば、例えば、割引ラベルの形状は認識できるが、割引ラベルに記載されている文字形状は認識できないといった、読み取り認識が不確定（不認識）であることを示す。
【００３４】
タッチパネル１１１，１１２は、タッチ操作を検出する。タッチパネル１１１は、そのタッチ操作検出面がオペレータスペース側となるよう設置される。タッチパネル１１２は、そのタッチ操作検出面が顧客レーン側となるよう設置される。オペレータ並びに顧客は、指でタッチパネル１１１，１１２にタッチすることができる。また、オペレータ並びに顧客は、タッチペン等のポインティングデバイスを用いてタッチパネル１１１，１１２にタッチすることもできる。タッチパネル１１１，１１２に対するタッチ操作があると、指またはタッチペン等の物が接触している位置が検出される。
【００３５】
ディスプレイ１１３，１１４は、各種画像（例えば、顧客が購入対象としている商品の登録状況）を表示する。ディスプレイ１１３は、タッチパネル１１１の下層に位置している。ディスプレイ１１４は、タッチパネル１１２の下層に位置している。ディスプレイ１１３，１１４の表示する画像は、タッチパネル１１１，１１２を透過して、オペレータスペース側及び顧客レーン側から視認可能である。オペレータ並びに顧客は、ディスプレイ１１３，１１４によって表示された画像を見ながら、タッチパネル１１１，１１２に対するタッチ操作を行うことができる。
【００３６】
店舗サーバ３００は、ＰＯＳシステム１００により登録された販売情報を一元管理する。また、店舗サーバ３００は、商品を識別するための商品の識別番号や価格等を登録した商品マスタを管理する。
【００３７】
以下、ＰＯＳシステム１００が備えるハードウェア構成についてさらに説明する。
図３は、第２の実施の形態に係るＰＯＳシステムのハードウェア構成例の図である。
ＰＯＳシステム１００のＰＯＳ端末１０４は、図３に示されるように、ＣＰＵ（Central Processing Unit）１０４ａ、ＲＯＭ（Read Only Memory）１０４ｂ、ＲＡＭ（Random Access Memory）１０４ｃ、ＨＤＤ（Hard Disk Unit）１０４ｄ、通信処理部１０４ｅ、表示処理部１０４ｆ及び入力処理部１０４ｇを有する。
【００３８】
なお、図３に示した、キャッシュドロア１０３、ディスプレイ１０５，１１３，１１４、キーボード１０６、タッチパネル１０７，１１１，１１２、レシートプリンタ１０８及び画像スキャナ１１０については、図２において同一の符号を付して説明した構成と同一であるため説明を省略する。
【００３９】
ＣＰＵ１０４ａは、ＰＯＳシステム１００全体を制御する。
ＲＯＭ１０４ｂは、ＣＰＵ１０４ａが実行するＢＩＯＳ（Basic Input / Output System）のプログラムやその処理に用いるデータを記憶する。
【００４０】
ＲＡＭ１０４ｃは、ＣＰＵ１０４ａが実行するＯＳ（Operating System）並びにアプリケーションソフトウェア（以下、アプリケーションという）のプログラムの少なくとも一部、及びその処理に用いるデータを一時的に記憶する。
【００４１】
ＨＤＤ１０４ｄは、ＰＯＳシステム１００上のＯＳ並びにアプリケーションのプログラム、及びその処理に用いるデータを記憶する。
通信処理部１０４ｅは、店舗ネットワーク２００と接続される。通信処理部１０４ｅは、店舗ネットワーク２００を介して、店舗サーバ３００との間でデータの送受信を行う。
【００４２】
表示処理部１０４ｆは、ディスプレイ１０５，１１３，１１４と接続されている。表示処理部１０４ｆは、ＣＰＵ１０４ａからの命令に従って、画像をディスプレイ１０５，１１３，１１４に表示させる。
【００４３】
入力処理部１０４ｇは、キーボード１０６、タッチパネル１０７，１１１，１１２と接続されている。入力処理部１０４ｇは、キーボード１０６、タッチパネル１０７，１１１，１１２から送られてくる信号をＣＰＵ１０４ａに出力する。
【００４４】
さらに、情報変換装置１２０は、画像スキャナ１１０から送信された画像情報を所定の情報に変換して、ＣＰＵ１０４ａに通知する。なお、情報変換装置１２０の詳細について後述する。
【００４５】
図４は、第２の実施の形態に係る店舗サーバのハードウェア構成例の図である。
店舗サーバ３００は、図４に示されるように、ＣＰＵ３０１、ＲＡＭ３０２、ＨＤＤ３０３、表示処理部３０４、入力処理部３０５及び通信処理部３０６を有する。
【００４６】
ＣＰＵ３０１は、店舗サーバ３００全体を制御する。
ＲＡＭ３０２は、ＣＰＵ３０１が実行するＯＳ並びにアプリケーションのプログラムの少なくとも一部、及びその処理に用いるデータを一時的に記憶する。
【００４７】
ＨＤＤ３０３は、店舗サーバ３００上のＯＳ並びにアプリケーションのプログラム、及びその処理に用いるデータを記憶する。
表示処理部３０４は、モニタ３１１と接続されている。表示処理部３０４は、ＣＰＵ３０１からの命令に従って、画像をモニタ３１１に表示させる。
【００４８】
入力処理部３０５は、キーボード３１２及びマウス３１３と接続されている。入力処理部３０５は、キーボード３１２並びにマウス３１３から送られてくる信号をＣＰＵ３０１に出力する。
【００４９】
通信処理部３０６は、店舗ネットワーク２００と接続される。通信処理部３０６は、店舗ネットワーク２００を介して、ＰＯＳシステム１００との間でデータの送受信を行う。また、通信処理部３０６は、店舗ネットワーク２００を介して、図示しない、基幹ネットワークに接続された本社ネットワーク、他店舗ネットワークに接続された他のコンピュータとの間でデータの送受信を行う。
【００５０】
次に、情報変換装置１２０について説明する。
図５は、第２の実施の形態に係るＰＯＳシステムの情報変換装置のハードウェア構成例の図である。
【００５１】
情報変換装置１２０は、図５に示されるように、ＣＰＵ１２０ａ、ＲＡＭ１２０ｂ、ＨＤＤ１２０ｃ、及び入出力処理部１２０ｄを有する。
ＣＰＵ１２０ａは、情報変換装置１２０全体を制御する。
【００５２】
ＲＡＭ１２０ｂは、ＣＰＵ１２０ａが実行するＯＳ並びにアプリケーションのプログラムの少なくとも一部、及びその処理に用いるデータを一時的に記憶する。
ＨＤＤ１２０ｃは、情報変換装置１２０上のＯＳ並びにアプリケーションのプログラム、及びその処理に用いるデータを記憶する。
【００５３】
入出力処理部１２０ｄは、ＰＯＳシステム１００の画像スキャナ１１０及びＰＯＳ端末１０４と接続されている。画像スキャナ１１０からの画像情報を受け付けて、ＣＰＵ１２０ａに出力する。また、ＣＰＵ１２０ａからの処理結果をＰＯＳ端末１０４に出力する。
【００５４】
このようなハードウェア構成を備える情報変換装置１２０の機能について説明する。
図６は、第２の実施の形態に係るＰＯＳシステムの情報変換装置が備える機能を表す機能ブロック図である。
【００５５】
情報変換装置１２０は、バーコード情報格納部１２１ａ、ラベル情報格納部１２１ｂ、受信フラグ記録部１２１ｃ及び割引情報格納部１２１ｄを有する。さらに、情報変換装置１２０は、情報取得部１２２、画像変換部１２３、取得情報判別部１２４、時間計測部１２５、バーコード情報合成部１２６、情報送信部１２７及び出力実行部１２８を有する。
【００５６】
バーコード情報格納部１２１ａは、商品の商品名、識別番号、消費期限等の情報を含むバーコード情報を示すバーコードの画像情報に対応付けられたバーコード情報を格納する。
【００５７】
ラベル情報格納部１２１ｂは、価格に対して所定の割合を割り引くことを記した割引ラベルの画像情報に対応付けられたラベル情報を格納する。
受信フラグ記録部１２１ｃは、画像スキャナ１１０から受信した画像情報に応じた後述するバーコード情報合成部１２６で実行される処理に応じてフラグを記録する。例えば、バーコードの画像情報を受信した場合には「バーコード」、割引ラベルの画像情報を受信した場合には「割引ラベル」等のフラグが記録される。
【００５８】
割引情報格納部１２１ｄは、ラベル情報に対応付けられた価格に対して所定の割合を割り引くことを表す割引情報を格納する。
情報取得部１２２は、画像スキャナ１１０から通知された、画像スキャナ１１０で読み取った画像情報を取得する。
【００５９】
画像変換部１２３は、情報取得部１２２から通知された画像情報を所定の情報に変換する。具体的には、情報取得部１２２からバーコードの画像情報が通知された場合には、画像変換部１２３は、バーコード情報格納部１２１ａを参照して、当該バーコードの画像情報に対応付けられたバーコード情報を特定し、当該バーコードの画像情報を特定した識別情報に変換する。また、情報取得部１２２から割引ラベルの画像情報が通知された場合には、画像変換部１２３は、ラベル情報格納部１２１ｂを参照して、当該割引ラベルの画像情報に対応付けられたラベル情報を特定し、当該割引ラベルの画像情報を特定したラベル情報に変換する。
【００６０】
取得情報判別部１２４は、画像変換部１２３で変換されたバーコード情報及びラベル情報から、画像スキャナ１１０から通知された画像情報が変換対象であるバーコード情報またはラベル情報か否かを判別する。また、取得情報判別部１２４はこのような判別処理が終了すると時間の計測要求を時間計測部１２５に通知する。さらに、取得情報判別部１２４は、画像変換部１２３で変換されたバーコード情報から、画像スキャナ１１０から通知された画像情報がバーコード情報である場合には、受信フラグ記録部１２１ｃに「バーコード」のフラグを記録してセットする。また、取得情報判別部１２４は画像スキャナ１１０から通知された画像情報が認識可能なラベル情報である場合には、受信フラグ記録部１２１ｃに「ラベル」のフラグを記録してセットする。一方、認識が不確定なラベル情報である場合には、「ラベル不認識」のフラグを記録してセットする。
【００６１】
時間計測部１２５は、取得情報判別部１２４から計測要求が通知されると、時間の計測を実行する。そして、所定の時間が経過する（タイムオーバになる）と、後述するバーコード情報合成部１２６に通知する。
【００６２】
バーコード情報合成部１２６は、受信フラグ記録部１２１ｃに「バーコード」及び「ラベル」のフラグがセットされている場合には、バーコード情報と、割引情報格納部１２１ｄを参照して、ラベル情報に対応する割引情報との内容を含んだバーコードを合成する。また、受信フラグ記録部１２１ｃに「バーコード」のフラグのみがセットされている場合には、当該バーコード情報に基づいてバーコードを合成する。
【００６３】
情報送信部１２７は、バーコード情報合成部１２６で合成されたバーコード情報をＰＯＳ端末１０４に通知すると共に、後述する出力実行部１２８に出力要求を通知する。
出力実行部１２８は、出力要求が通知されると、図示しないスピーカ及び発行ダイオードから音声並びに光を出力させて、オペレータに情報の変換が正常に完了したことを通知する。
【００６４】
また、ＰＯＳ端末１０４は、価格情報保持部１０４ａ１と、価格算出部１０４ａ２とを有する。
価格情報保持部１０４ａ１は、商品の識別番号と当該識別番号に対応する価格との情報を保持している。なお、このような価格に関する情報は、店舗サーバ３００から取得するようにすることも可能である。
【００６５】
価格算出部１０４ａ２は、価格情報保持部１０４ａ１を参照して、情報送信部１２７から通知されたバーコード情報の商品の識別番号から、当該商品の価格を特定する。さらに、価格算出部１０４ａ２は、バーコード情報に割引情報が含まれていれば、当該割引情報に基づいて、特定した価格に割引処理を行って、割り引いた価格を算出する。
【００６６】
図７、図８及び図９は、第２の実施の形態に係る情報変換装置の情報変換処理を実行するためのフローチャート図である。
なお、以下では、受信フラグ記録部１２１ｃの記録内容はクリアされた状態から開始される。
【００６７】
［ステップＳ１１］  オペレータは精算対象の商品のバーコード等を含む商品ラベルが貼付されている面を画像スキャナ１１０に読み取らせると、画像スキャナ１１０は、読み取った画像情報を情報変換装置１２０に通知する。
【００６８】
情報取得部１２２は、画像スキャナ１１０がこのようにして読み取った画像情報を取得する。
［ステップＳ１２］  画像変換部１２３は、情報取得部１２２から通知された画像情報を、バーコード情報格納部１２１ａまたはラベル情報格納部１２１ｂのいずれかを参照して所定の情報に変換する。
【００６９】
取得情報判別部１２４は、変換した情報が変換対象の情報であるバーコード情報またはラベル情報のいずれかであるか否かを判定する。次の処理は、変換対象の情報である場合にはステップＳ１３に進められ、変換対象の情報では無い場合にはステップＳ１１に進められる。
【００７０】
［ステップＳ１３］  時間計測部１２５は取得情報判別部１２４からの１回目の計測要求に応じて、時間（タイム１）の計測を開始する。
［ステップＳ１４］  取得情報判別部１２４は、さらに、ステップＳ１２で変換対象であることが判別された情報がバーコード情報であるか否かを判別する。
【００７１】
次の処理は、バーコード情報である場合にはステップＳ１５に進められ、バーコード情報では無い場合にはステップＳ１６に進められる。
［ステップＳ１５］  取得情報判別部１２４は、受信フラグ記録部１２１ｃに「バーコード」フラグを記録してセットする。
【００７２】
［ステップＳ１６］  取得情報判別部１２４は、さらに、ステップＳ１２で変換対象であることが判別されたラベル情報が認識可能か不認識かを判別する。
次の処理は、ラベル情報が認識可能である場合にはステップＳ１７に進められ、不認識である場合にはステップＳ１８に進められる。
【００７３】
［ステップＳ１７］  取得情報判別部１２４は、受信フラグ記録部１２１ｃに「ラベル」フラグを記録してセットする。
［ステップＳ１８］  取得情報判別部１２４は、受信フラグ記録部１２１ｃに「ラベル不認識」フラグを記録してセットする。
【００７４】
次の処理は、図８のステップＳ１９に進められる。
［ステップＳ１９］  バーコード情報合成部１２６は、受信フラグ記録部１２１ｃを参照して、「バーコード」及び「ラベル」のフラグが記録されているか否かを判定する。
【００７５】
次の処理は、「バーコード」及び「ラベル」のフラグが記録されている場合にはステップＳ２０に進められ、記録されていない場合にはステップＳ２２に進められる。
［ステップＳ２０］  バーコード情報合成部１２６は、ステップＳ１２で変換されたバーコード情報を、別のバーコード情報にセットする。
【００７６】
［ステップＳ２１］  バーコード情報合成部１２６は、割引情報格納部１２１ｄを参照して、ステップＳ１２で変換されたラベル情報に対応する割引情報をステップＳ２０の別のバーコード情報にさらにセットして、新たなバーコード情報を合成する。
【００７７】
［ステップＳ２２］  時間計測部１２５は時間を計測しており、次の処理は、時間計測部１２５は、計測する時間（タイム１）が所定の時間（タイムオーバ）になり、バーコード情報合成部１２６にタイムオーバを通知する場合には、ステップＳ２５に進められ、タイムオーバになっておらずバーコード情報合成部１２６にタイムオーバを通知しない場合には、図７のステップＳ２３に進められる。
【００７８】
［ステップＳ２３］  情報取得部１２２は、ステップＳ１１と同様に画像スキャナ１１０が読み取った画像情報を画像スキャナ１１０から再び取得する。
［ステップＳ２４］  ステップＳ１２と同様の処理が行われる。即ち、画像変換部１２３は、情報取得部１２２から通知された画像情報を、バーコード情報格納部１２１ａまたはラベル情報格納部１２１ｂのいずれかを参照して所定の情報に変換する。
【００７９】
取得情報判別部１２４は、変換した情報が変換対象の情報であるバーコード情報またはラベル情報のいずれかであるか否かを判定する。次の処理は、変換対象の情報である場合にはステップＳ１４に進められ、変換対象の情報では無い場合には図８のステップＳ２２に進められる。
【００８０】
［ステップＳ２５］  バーコード情報合成部１２６は、受信フラグ記録部１２１ｃに「バーコード」フラグのみが記録されているか否かを判定する。次の処理は、「バーコード」フラグのみが記録されている場合にはステップＳ２６に進められ、記録されていない場合には図９のステップＳ２９に進められる。
【００８１】
［ステップＳ２６］  バーコード情報合成部１２６は、ステップＳ１２で変換されたバーコード情報を、新たなバーコード情報とする。
［ステップＳ２７］  情報送信部１２７は、バーコード情報合成部１２６が合成した新たなバーコード情報をＰＯＳ端末１０４に通知する。また、これと同時に情報送信部１２７は、出力実行要求を出力実行部１２８に通知する。
【００８２】
出力実行部１２８は、出力要求が通知されると、図示しないスピーカ及び発行ダイオードから音声並びに光を出力させて、オペレータに情報の変換が正常に完了したことを通知する。
【００８３】
［ステップＳ２８］  バーコード情報合成部１２６は、バーコード情報を情報送信部１２７に通知すると共に、受信フラグ記録部１２１ｃのフラグをクリアする。
次の処理は、図７のステップＳ１１に進められる。
【００８４】
［ステップＳ２９］  時間計測部１２５は取得情報判別部１２４からの２回目の計測要求に応じて、時間（タイム２）の計測を開始する。
［ステップＳ３０］  オペレータは精算対象の商品のバーコード等を含む商品ラベルが貼付されている面を画像スキャナ１１０に読み取らせると、画像スキャナ１１０は、読み取った画像情報を情報変換装置１２０に通知する。
【００８５】
情報取得部１２２は、画像スキャナ１１０がこのようにして読み取った画像情報を取得する。
［ステップＳ３１］  画像変換部１２３は、情報取得部１２２から通知された画像情報を、バーコード情報格納部１２１ａまたはラベル情報格納部１２１ｂのいずれかを参照して所定の情報に変換する。
【００８６】
取得情報判別部１２４は、変換した情報が変換対象の情報であるバーコード情報またはラベル情報のいずれかであるか否かを判定する。次の処理は、変換対象の情報である場合にはステップＳ３２に進められ、変換対象の情報では無い場合にはステップＳ３８に進められる。
【００８７】
［ステップＳ３２］  取得情報判別部１２４は、さらに、ステップＳ３１で変換対象であることが判別された情報がバーコード情報であるか否かを判別する。
次の処理は、バーコード情報である場合にはステップＳ３３に進められ、バーコード情報では無い場合にはステップＳ３４に進められる。
【００８８】
［ステップＳ３３］  取得情報判別部１２４は、受信フラグ記録部１２１ｃに「バーコード」フラグを記録してセットする。
［ステップＳ３４］  取得情報判別部１２４は、さらに、ステップＳ３１で変換対象であることが判別されたラベル情報が認識可能か不認識かを判別する。
【００８９】
次の処理は、ラベル情報が認識可能である場合にはステップＳ３５に進められ、不認識である場合にはステップＳ３６に進められる。
［ステップＳ３５］  取得情報判別部１２４は、受信フラグ記録部１２１ｃに「ラベル」フラグを記録してセットする。
【００９０】
［ステップＳ３６］  取得情報判別部１２４は、受信フラグ記録部１２１ｃに「ラベル不認識」フラグを記録してセットする。
［ステップＳ３７］  バーコード情報合成部１２６は、受信フラグ記録部１２１ｃを参照して、「バーコード」及び「ラベル」のフラグが記録されているか否かを判定する。
【００９１】
次の処理は、「バーコード」及び「ラベル」のフラグが記録されている場合には図８のステップＳ２０に進められ、記録されていない場合にはステップＳ３８に進められる。
［ステップＳ３８］  時間計測部１２５は時間を計測しており、次の処理は、時間計測部１２５は、計測する時間（タイム２）が所定の時間（タイムオーバ）になり、バーコード情報合成部１２６にタイムオーバを通知する場合には、ステップＳ３９に進められ、タイムオーバになっておらずバーコード情報合成部１２６にタイムオーバを通知しない場合には、ステップＳ３０に進められる。
【００９２】
［ステップＳ３９］  バーコード情報合成部１２６は、バーコード情報を情報送信部１２７に通知すると共に、受信フラグ記録部１２１ｃのフラグをクリアする。
次に、情報変換装置１２０による情報変換処理を具体的に説明する。
【００９３】
［実施例１］
実施例１では、精算対象の商品にバーコードを含む商品ラベルと共に、割引ラベルが貼付された場合について説明する。
【００９４】
図１０は、バーコードを含む商品ラベルと共に割引ラベルが貼付された商品を説明するための図である。なお、図１０（Ａ）は商品ラベル及び割引ラベルが貼付された精算対象の商品を、図１０（Ｂ）は値引きラベルをそれぞれ示している。
【００９５】
例えば、図１０（Ａ）に示されるように、精算対象の商品（牛ステーキ）４００に、販売価格（１５６０円）と共に、商品名、商品識別番号、消費期限等がコード化されたバーコード情報を示すバーコード４１１が印字された商品ラベル４１０が貼付されている。
【００９６】
この商品が消費期限に近づくと、割引ラベル４２０が、図１０（Ａ）に示されるように、商品ラベル４１０の近傍に貼付される。なお、割引ラベル４２０には、当該商品の販売価格から３割引することが記載されている。
【００９７】
なお、割引ラベル４２０に代わって、図１０（Ｂ）に示されるように、販売価格から所定額（５００円）を値引くことが印字された値引きシール４３０が用いられる場合もある。
【００９８】
顧客は、商品４００を購入する場合には、ＰＯＳシステム１００の顧客レーン側から、商品４００をオペレータスペースのオペレータに手渡す。
オペレータは商品４００の商品ラベル４１０及び割引ラベル４２０を画像スキャナ１１０に読み取らせる。画像スキャナ１１０は、バーコード４１１及び割引ラベル４２０の画像情報を読み取り、当該画像情報を情報変換装置１２０に通知する。
【００９９】
情報取得部１２２は、画像スキャナ１１０から先に通知されたバーコード４１１の画像情報をまずは受信する（ステップＳ１１）。
画像変換部１２３は、バーコード４１１の画像情報を、バーコード情報格納部１２１ａを参照して、バーコード情報に変換して、時間計測部１２５は時間（タイム１）の計測を開始する（ステップＳ１２，Ｓ１３）。
【０１００】
ここで、バーコード４１１の画像情報から変換されたバーコード情報について説明する。
図１１は、バーコード情報とラベル情報との具体例を説明するための図である。なお、図１０（Ａ）はバーコード４１１の画像情報について、図１１（Ｂ）は割引ラベル４２０の画像情報についての変換後の情報を、図１１（Ｃ）は合成されたバーコード情報についてそれぞれ表している。
【０１０１】
画像変換部１２３は、バーコード情報格納部１２１ａから、図１１（Ａ）に示すバーコード４１１の画像情報に対応するバーコード情報の「Ｆ４９５９１２７３０６１８１＜ＣＲ＞」を特定する。したがって、画像変換部１２３は、バーコード４１１の画像情報をバーコード情報の「Ｆ４９５９１２７３０６１８１＜ＣＲ＞」に変換する。
【０１０２】
なお、当該バーコード情報の「Ｆ」は当該バーコード情報のコードがＪＡＮ１３コード方式であることを、「４９５９１２７３０６１８１」（Ｘ：１３桁）は商品名、商品の識別番号、商品名等を、「＜ＣＲ＞」はバーコード情報の終端をそれぞれ表している。
【０１０３】
情報変換処理に戻ると、このようにして画像変換部１２３がバーコード情報に変換されると、取得情報判別部１２４は、受信フラグ記録部１２１ｃに「バーコード」フラグを記録する（ステップＳ１４，Ｓ１５）。
【０１０４】
時間計測部１２５が計測する時間がタイムオーバではないために、情報取得部１２２は、画像スキャナ１１０からバーコード４１１と共に読み取った割引ラベル４２０の画像情報を受信する（ステップＳ１９，Ｓ２２，Ｓ２３）。
【０１０５】
画像変換部１２３は、割引ラベル４２０の画像情報を、ラベル情報格納部１２１ｂを参照して、ラベル情報に変換する（ステップＳ２４）。
ここで、割引ラベル４２０の画像情報から変換されたラベル情報について説明する。
【０１０６】
画像変換部１２３は、ラベル情報格納部１２１ｂから、図１１（Ｂ）に示す割引ラベル４２０の画像情報に対応するラベル情報の「Ｚ１＜ＣＲ＞」を特定する。したがって、画像変換部１２３は、割引ラベル４２０の画像情報をラベル情報の「Ｚ１＜ＣＲ＞」に変換する。なお、図１１（Ｂ）のラベル情報の「Ｚ１」は認識可能なラベルであることを表す。一方、ラベル情報が「ＺＺ」である場合は、不認識であることを表す。また、「＜ＣＲ＞」はラベル情報の終端を意味している。
【０１０７】
情報変換処理に戻ると、取得情報判別部１２４は、ラベル情報が認識可能であることから、受信フラグ記録部１２１ｃに「ラベル」フラグを記録する（ステップＳ１４，Ｓ１６，Ｓ１７）。
【０１０８】
バーコード情報合成部１２６は、受信フラグ記録部１２１ｃに「バーコード」及び「ラベル」のフラグが記録されていることを認識すると、バーコード４１１のバーコード情報（Ｘ）を、ＣＯＤＥ１２８方式のバーコード情報の２〜１４バイトにセットする（ステップＳ１９，Ｓ２０）。
【０１０９】
さらに、バーコード情報合成部１２６は、割引情報格納部１２１ｄを参照して、割引ラベル４２０のラベル情報に対応する割引情報をＣＯＤＥ１２８方式のバーコード情報の１５〜２０バイトにセットする。このような処理により、図１１（Ｃ）に示されるように、新たにバーコード情報「Ｑ４９５９１２７３０６１８１０１００３０＜ＣＲ＞」が合成される（ステップＳ２１）。
【０１１０】
なお、当該バーコード情報の「Ｑ」は当該バーコード情報のコードがＣＯＤＥ１２８方式であることを表している。また、新たなバーコード情報の「Ｘ」は、図１１（Ａ）に示したバーコード情報の内容（「Ｘ」）である。「Ｙ」は割引ラベルの画像情報の割引情報であって、「Ｙ１」は減額フラグであり、「Ｙ２」は額の情報である。「Ｙ１」の減額フラグは、「０１」は「割引」を、「０２」は「値引き」をそれぞれ表しており、図１１（Ｃ）では「割引」のフラグがセットされている。「Ｙ２」の額の情報は、図１１（Ｃ）の「００３０」は「３０」を表す。したがって、「Ｙ」は、「３割引」を意味する。
【０１１１】
そして、情報送信部１２７は、このようにして合成されたバーコード情報をＰＯＳ端末１０４に通知すると共に、出力実行要求を出力実行部１２８に通知する（ステップＳ２７）。
【０１１２】
出力実行部１２８は、出力要求が通知されると、図示しないスピーカ及び発行ダイオードから音声並びに光を出力させて、オペレータに情報の変換が正常に完了したことを通知する。
【０１１３】
また、バーコード情報合成部１２６は、バーコード情報を情報送信部１２７に通知すると共に、受信フラグ記録部１２１ｃのフラグをクリアして（ステップＳ２８）、再び、情報取得部１２２は画像スキャナ１１０からの画像情報を待ち受ける。
【０１１４】
以上のようにして、バーコード４１１の画像情報及び割引ラベル４２０の画像情報から、商品４００の販売価格に対する割引処理を実行することができる。
［実施例２］
実施例２では、割引ラベルが貼付されていない場合について説明する。
【０１１５】
実施例１と同様にして、取得情報判別部１２４が、画像変換部１２３が変換したバーコード４１１の画像情報から変換したバーコード情報に基づいて、受信フラグ記録部１２１ｃに「バーコード」フラグを記録する（ステップＳ１１〜Ｓ１５）。
【０１１６】
商品には割引ラベルが貼付されていないことから、タイム１がタイムオーバになるまで、上記の処理が繰り返し実行されて、バーコード情報合成部１２６は、時間計測部１２５からタイムオーバが通知されると、今回初めてのタイムオーバであり、また、受信フラグ記録部１２１ｃに「バーコード」フラグが記録され、「ラベル不認識」が記録されていないことから、バーコード４１１のバーコード情報を新たなバーコード情報とする（ステップＳ１９，Ｓ２２〜Ｓ２４，Ｓ２２，Ｓ２５，Ｓ２６）。
【０１１７】
以後、上記と同様に、新たなバーコード情報がＰＯＳ端末１０４に通知されて、受信フラグ記録部１２１ｃがクリアされる（ステップＳ２７，Ｓ２８）。
このように、情報変換装置１２０は、割引ラベル４２０が貼付されていない商品に対してもバーコード４１１の画像情報から精算処理を実行することができる。
【０１１８】
［実施例３］
実施例３では、商品ラベル４１０と共に貼付された割引ラベル４２０が不認識である場合について説明する。
【０１１９】
実施例１と同様にして、取得情報判別部１２４が、画像変換部１２３が変換したバーコード４１１の画像情報から変換したバーコード情報に基づいて、受信フラグ記録部１２１ｃに「バーコード」フラグを記録して（ステップＳ１１〜Ｓ１５）、再び、情報取得部１２２は画像スキャナ１１０から割引ラベル４２０の画像情報を取得する（ステップＳ１９，Ｓ２２，Ｓ２３，Ｓ２４）。
【０１２０】
取得情報判別部１２４は、取得した情報がバーコード情報ではなく、不認識のラベル情報（「ＺＺ」）であることを判定し、受信フラグ記録部１２１ｃに「ラベル不認識」フラグを記録する（ステップＳ１４，Ｓ１６，Ｓ１８）。
【０１２１】
バーコード情報合成部１２６は、タイム１がタイムオーバになると、バーコード情報合成部１２６は、受信フラグ記録部１２１ｃに「バーコード」フラグのみが記録されていないことを判定する（ステップＳ１９，Ｓ２２，Ｓ２５）。
【０１２２】
すると、再び、画像変換部１２３は、バーコード４１１の画像情報を、バーコード情報格納部１２１ａを参照して、バーコード情報に変換して、時間計測部１２５は時間（タイム２）の計測を開始する（ステップＳ２９）。
【０１２３】
オペレータは割引ラベル４２０の画像情報の画像読み取りを試みると、情報取得部１２２は、同様に、不認識の割引ラベル４２０の画像情報を取得する（ステップＳ３０〜Ｓ３２，Ｓ３４，Ｓ３６〜Ｓ３８）。
【０１２４】
新たに取得した画像情報も認識できないラベル情報であるために、上記の処理（ステップＳ３０〜Ｓ３４，Ｓ３４，Ｓ３６〜Ｓ３８）が繰り返される。
しかる後に、タイムオーバとなると、バーコード情報合成部１２６は、受信フラグ記録部１２１ｃのフラグをクリアして（ステップＳ３８，Ｓ３９）、再び、情報取得部１２２は画像スキャナ１１０からの画像情報を待ち受ける。
【０１２５】
上記のように読み取った割引ラベル４２０が不認識である場合には、当該読み取りを飛ばして次の商品の読み取りを実行するようにする。そして、オペレータは、情報変換装置１２０からスピーカ及び発光ダイオードからの出力されないために、情報の変換か正常に完了されていないことを認知して、手入力により精算処理を実行する。
【０１２６】
このように情報変換装置１２０は、バーコードの画像情報から変換したバーコード情報と、割引ラベルの画像情報から変換したラベル情報とから、商品を識別し商品の価格から所定額を割り引くことを表すバーコード情報を新たに合成し、当該合成したバーコード情報をＰＯＳ端末１０４に通知するようにした。
【０１２７】
これにより、オペレータは、割引ラベルに表示されている割引をＰＯＳ端末１０４に対して別途手入力する必要が無くなり、時間が短縮されると共に、商品の価格に対する割引処理を自動で行えるようになった。したがって、入力ミスが生じることも無くなり、正確に精算処理を行うことができるようになる。
【０１２８】
なお、上記の処理機能は、コンピュータによって実現することができる。その場合、情報変換装置１，１２０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ／ＲＷ等がある。光磁気記録媒体には、ＭＯ（Magneto-Optical disk）等がある。
【０１２９】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１３０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１３１】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１３２】
１，１２０  情報変換装置
２，２ａ，２ｂ  画像情報
３  識別情報格納部
４，１２１ｂ  ラベル情報格納部
５，１２３  画像変換部
６  識別情報合成部
７，１２７  情報送信部
８  識別情報
１００  ＰＯＳシステム
１０１，１０２  設置台
１０３  キャッシュドロア
１０４  ＰＯＳ端末
１０４ａ，１２０ａ，３０１  ＣＰＵ
１０４ａ１  価格情報保持部
１０４ａ２  価格算出部
１０４ｂ  ＲＯＭ
１０４ｃ，１２０ｂ，３０２  ＲＡＭ
１０４ｄ，１２０ｃ，３０３  ＨＤＤ
１０４ｅ，３０６  通信処理部
１０４ｆ，３０４  表示処理部
１０４ｇ，３０５  入力処理部
１０５，１１３，１１４  ディスプレイ
１０６，３１２  キーボード
１０７，１１１，１１２  タッチパネル
１０８  レシートプリンタ
１０９  支柱
１１０  画像スキャナ
１２０ｄ  入出力処理部
１２１ａ  バーコード情報格納部
１２１ｃ  受信フラグ記録部
１２１ｄ  割引情報格納部
１２２  情報取得部
１２４  取得情報判別部
１２５  時間計測部
１２６  バーコード情報合成部
１２８  出力実行部
２００  店舗ネットワーク
３００  店舗サーバ
３１１  モニタ
３１３  マウス
４００  商品
４１０  商品ラベル
４１１  バーコード
４２０  割引ラベル
４３０  値引きシール
【図１】
0005651043.tif 000002
【図２】
0005651043.tif 000003
【図３】
0005651043.tif 000004
【図４】
0005651043.tif 000005
【図５】
0005651043.tif 000006
【図６】
0005651043.tif 000007
【図７】
0005651043.tif 000008
【図８】
0005651043.tif 000009
【図９】
0005651043.tif 000010
【図１０】
0005651043.tif 000011
【図１１】
0005651043.tif 000012